(57)【要約】  筆記具用のカラビナ型取り付け具であって、カラビナ型取り付け具は、筆記具又はそのキャップの側部に取り付けられる。取り付け具は、カラビナ本体の少なくとも一部がペン又はペンキャップと一体であるカラビナの形態であることが好ましい。代替的な実施形態では、取り付け具は、筆記具又は筆記具のキャップから取り外し可能である。
2007511386.tif 000002
【特許請求の範囲】
【請求項１】
筆記具と該筆記具の側部から延びる少なくとも１つの取り付け具とを備え、前記取り付け具は、この装置を別の物品に選択的に取り外し可能に取り付けることを可能にする少なくとも１つの選択的に開放可能なゲート部材を備えることを特徴とする装置。
【請求項２】
前記取り付け具は、少なくとも第１の端部を備える少なくとも１つの細長い部材をさらに備え、前記ゲート部材は、少なくとも第１の端部を有し、前記細長い部材から延び、前記ゲート部材の前記少なくとも第１の端部は、前記細長い部材の前記端部に近接した向きにある、請求項１に記載の装置。
【請求項３】
前記取り付け具は、第１の端部及び第２の端部を有する細長い本体部材と、第１の端部及び第２の端部を有するゲート部材とを備え、前記ゲート部材の前記端部の一方は、前記本体部材の前記端部の一方に枢着され、前記ゲート部材の前記端部の他方は、前記ゲートが閉位置にある場合に前記本体部材の前記他端部と接触する、請求項１に記載の装置。
【請求項４】
前記筆記具はキャップをさらに備える、請求項１に記載の装置。
【請求項５】
前記取り付け具は、前記筆記具の前記側部又は前記筆記具の前記キャップの側部と一体形成される、請求項４に記載の装置。
【請求項６】
前記取り付け具は弾性材料から成る、請求項１に記載の装置。
【請求項７】
前記取り付け具は、前記筆記具又は該筆記具の前記キャップに取り外し可能に取り付け可能である、請求項１に記載の装置。
【請求項８】
前記取り付け具はカラビナの形状に形成される、請求項１に記載の装置。
【請求項９】
前記ゲート部材は内向きに開放可能である、請求項１に記載の装置。
【請求項１０】
前記ゲート部材は弾性を有する、請求項１に記載の装置。
【請求項１１】
前記筆記具は円筒状である、請求項１に記載の装置。
【請求項１２】
前記筆記具はペンである、請求項１に記載の装置。
【請求項１３】
前記筆記具は鉛筆である、請求項１に記載の装置。
【請求項１４】
シャツポケット取り付けクリップをさらに備える、請求項１に記載の装置。
【請求項１５】
前記取り付け具を前記筆記具に取り付ける手段をさらに備える、請求項１に記載の装置。
【請求項１６】
前記取り付ける手段は前記筆記具に収容可能なスリーブを備え、前記取り付け具は前記スリーブから延びる、請求項１５に記載の装置。
【請求項１７】
前記筆記具は、前記筆記具に前記スリーブを挿入すると前記取り付け具を受け入れるスロットをさらに備える、請求項１６に記載の装置。
【請求項１８】
前記スリーブはタブをさらに備え、前記筆記具は、該筆記具の内部に配置されるリップをさらに備え、前記タブは、前記筆記具に前記スリーブを挿入すると前記リップと係合可能である、請求項１７に記載の装置。
【請求項１９】
前記取り付け具は前記スリーブと一体形成される、請求項１５に記載の装置。
【請求項２０】
前記取り付け手段はバンドである、請求項１５に記載の装置。
【請求項２１】
前記取り付け手段はクリップである、請求項１５に記載の装置。
【請求項２２】
側部から延びる少なくとも２つの細長い部材を備え、前記細長い部材はそれぞれ、第１の端部及び第２の端部を備え、前記第１の端部は該筆記具の前記側部に近接し、前記第２の端部は互いに近接し、前記細長い部材の少なくとも一方はゲート部材を備えることを特徴とする筆記具。
【請求項２３】
前記ゲート部材は前記筆記具に枢着される、請求項２２に記載の筆記具。
【請求項２４】
前記細長い部材の少なくとも一方は、該筆記具に一体的に取り付けられる、請求項２２に記載の筆記具。
【請求項２５】
前記細長い部材の少なくとも一方は弾性材料から成る、請求項２２に記載の筆記具。
【請求項２６】
前記細長い部材は、カラビナの外観を有するように構成される、請求項２２に記載の筆記具。
【請求項２７】
筆記具と該筆記具の側部から延びる少なくとも１つの取り付け具とを備え、前記取り付け具は、少なくとも第１の端部を有する細長い曲線状の本体部材と、少なくとも第１の端部を有する選択的に開放可能なゲート部材とを備え、前記ゲート部材は、前記本体部材から延び、前記ゲート部材の前記第１の端部は、前記本体部材の前記第１の端部と近接した向きにあり、前記細長い本体部材の少なくとも一部は、該筆記具に一体的に取り付けられることを特徴とする装置。
【請求項２８】
前記本体部材は第２の端部をさらに備え、前記ゲート部材は第２の端部をさらに備え、前記ゲート部材の前記端部の一方は、前記本体部材の前記端部の一方に枢着され、前記ゲート部材の前記端部の他方は、前記ゲートが閉位置にある場合に前記本体部材の前記他端部と接触する、請求項２７に記載の装置。
【請求項２９】
前記ゲート部材は弾性を有する、請求項２７に記載の装置。
【請求項３０】
筆記具のキャップと該キャップの側部から延びる取り付け具とを備え、前記取り付け具は、少なくとも第１の端部を有する少なくとも１つの細長い曲線状の本体部材と、少なくとも第１の端部を有するゲート部材とを備え、前記ゲート部材は、前記本体部材から延び、前記ゲート部材の前記第１の端部は、前記本体部材の前記第１の端部に近接した向きにあり、前記細長い本体部材の少なくとも一部は、前記キャップに一体的に取り付けられることを特徴とする装置。
【請求項３１】
前記本体部材は第２の端部をさらに備え、前記ゲート部材は第２の端部をさらに備え、前記ゲート部材の前記端部の一方は、前記本体部材の前記端部の一方に枢着され、前記ゲート部材の前記端部の他方は、前記ゲートが閉位置にある場合に前記本体部材の前記他端部と接触する、請求項３０に記載の装置。
【請求項３２】
前記ゲート部材は弾性を有する、請求項３０に記載の装置。
【請求項３３】
筆記具及び該筆記具の側部から延びる少なくとも１つのカラビナを備える装置。
【請求項３４】
前記筆記具に収容可能なスリーブをさらに備え、前記カラビナは前記スリーブから延び、前記筆記具は、前記筆記具に前記スリーブを挿入すると前記カラビナを受け入れるスロットをさらに備える、請求項３３に記載の装置。
【請求項３５】
前記カラビナは、該カラビナから延びるバンドをさらに備えることにより、前記筆記具への前記カラビナの取り付けを容易にする、請求項３３に記載の装置。
【請求項３６】
前記筆記具は、該筆記具から延びるクリップをさらに備えることにより、前記筆記具への前記カラビナの取り付けを容易にする、請求項３３に記載の装置。
【請求項３７】
前記カラビナは前記筆記具に取り外し可能に取り付けられる、請求項３３に記載の装置。
【請求項３８】
筆記具と、該筆記具の側部から延びる少なくとも１つのカラビナと、前記筆記具に収容可能なスリーブとを備え、前記カラビナは前記スリーブから延び、前記筆記具は、該筆記具に前記スリーブを挿入すると前記カラビナを受け入れるスロットをさらに備えることを特徴とする装置。
【請求項３９】
筆記具と該筆記具の側部から延びる少なくとも１つのカラビナとを備え、前記カラビナは、該カラビナから延びるバンドをさらに備えることにより、前記筆記具への前記カラビナの取り付けを容易にすることを特徴とする装置。
【請求項４０】
筆記具と該筆記具の側部から延びる少なくとも１つのカラビナとを備え、前記筆記具は、該筆記具から延びるクリップをさらに備えることにより、前記筆記具への前記カラビナの取り付けを容易にすることを特徴とする装置。
【発明の詳細な説明】
【技術分野】
【０００１】
［発明の分野］
本発明は、包括的には、ペン及びペンのキャップ等の筆記具で用いられるようになっているカラビナ型取り付け具に関する。
【０００２】
本出願は、以下の米国意匠特許出願のそれぞれの利益を主張するとともに、それらの全体を参照により援用する。全て「カラビナを有する筆記具」という名称の、２００３年４月１５日出願の第２９／１７９，８３８号、２００３年４月１５日出願の第２９／１７９，７６５号、２００３年４月１５日出願の第２９／１７９，７６４号、２００３年４月１５日出願の第２９／１７９，７６６号、２００３年４月１５日出願の第２９／１７９，８３９号、及び２００３年４月２４日出願の第２９／１８０，４８６号。
【背景技術】
【０００３】
［発明の背景］
カラビナは、物品を互いに取り付ける手段を提供するために長年にわたり用いられてきた。このような器具には、例えば複数の物品をバックパック、財布、ハンドバッグ、キーチェーン等に固定することを可能にすること等、多くの用途がある。米国特許第５，００５，２６６号は、典型的なカラビナ型取り付け具を開示している。
【０００４】
筆記具は、広く普及しており、ほとんどの業務で不可欠である。したがって、筆記具を置き忘れないように、衣服、クリップボード等に筆記具を取り付けることができることが有用である。これまで、筆記具には、取り付け用の弾性クリップが設けられていた。しかしながら、これらのクリップは全ての用途に適しているわけではない。例えば、このようなクリップは、ストラップ、ベルト通し等に筆記具を取り付けるのにはあまり適していない。
【０００５】
米国意匠特許第４４９，８５７号は、複合ペン及びカラビナの装飾的な設計を開示しており、この設計ではカラビナがリングによって上記ペンに取り付けられ、ペンは、上記カラビナから吊り下がる取り付けモードにある場合はカラビナに対して自由に動くことができる。このような設計は、吊り下がっているペンがカラビナから激しく揺れることで損傷する可能性があるため不利である。同様に、Fiskarsは最近、ペンの上端部又はペンキャップの上端部に一体成形されたカラビナ状取り付け具を有する蛍光ペンを販売している。この器具は、取り付け位置から勝手に揺動してしまうという同様の欠点を有する。さらに、カラビナがペンキャップに一体成形される実施形態では、共成形されたカラビナによってペンキャップがストラップ等に取り付けられている場合、偶発的な力が加わると、すなわち、吊り下がっているペンがその取り付け点から揺動することで使用の際にペンキャップを取り外す方向に遠心力が加わると、ペンが上記キャップから不意に離れて外れるおそれが高くなる。
【発明の開示】
【発明が解決しようとする課題】
【０００６】
したがって、筆記具を、荷物、ベルト通し、タオル掛け、壁フック、ユーティリティベルト、バックパック等の他の物品に、安全に、且つ付属のキャップから筆記具が外れるおそれが少ないように取り付けることができることが、非常に有利であろう。
【課題を解決するための手段】
【０００７】
［発明の概要］
本発明は、筆記具又はそのキャップの側部に取り付けられる筆記具のカラビナ型取り付け具を提供する。この取り付け具は、カラビナ本体の少なくとも一部がペン又はペンキャップと一体であるカラビナの形態であることが好ましい。
【０００８】
［発明の目的］
筆記具用のカラビナ型取り付け具を提供することが、本発明の１つの目的である。
【０００９】
筆記具のキャップ用のカラビナ型取り付け具を提供することが、本発明の別の目的である。
【００１０】
筆記具と一体である筆記具用のカラビナ型取り付け具を提供することが、本発明の別の目的である。
【００１１】
筆記具に取り外し可能に接続される筆記具用のカラビナ型取り付け具を提供することが、本発明の別の目的である。
【００１２】
筆記具のキャップと一体である筆記具用のカラビナ型取り付け具を提供することが、本発明の別の目的である。
【００１３】
筆記具のキャップに取り外し可能に接続される筆記具用のカラビナ型取り付け具を提供することが、本発明の別の目的である。
【００１４】
荷物、ベルト通し、タオル掛け、壁フック、ユーティリティベルト、バックパック等への筆記具の安全且つ確実な取り付けを可能にする、筆記具用のカラビナ型取り付け具を提供することが、本発明のさらなる目的である。
【発明を実施するための最良の形態】
【００１５】
［好ましい実施形態の詳細な説明］
以下の説明では、説明のために、具体的な番号、材料、及び構成を記載することにより本発明を完全に理解できるようにする。しかしながら、これらの具体的な詳細がなくても本発明を実施できることは、当業者には明らかであろう。場合によっては、本発明を不明瞭にしないために、既知の特徴を省くか又は簡略化する場合がある。さらに、本明細書中での「一実施形態」又は「実施形態」への言及は、その実施形態に関連して説明される特定の特徴、構造、又は特性が本発明の少なくとも１つの実施形態に含まれることを意味する。本明細書の様々な場所に見られる「一実施形態では」という語句は、全てが同じ実施形態を指すとは限らない。
【００１６】
次に図１及び図１Ａに示されるように、筆記装置２の好ましい実施形態は、基本的に筆記具１０及び少なくとも１つの取り付け具３０を備える。
【００１７】
筆記具１０は、キャップ１２を有していても有していなくてもよく、当該技術分野で公知のペン、鉛筆、マーカ等を含むがこれらに限定されるものではない。
【００１８】
取り付け具３０は、少なくとも１つの本体部材３２及び１つの開放可能なゲート部材３８を備える。次に図１を参照すると、好ましい実施形態では、本体部材３２は、第１の端部３４及び第２の端部３６を有する第１の細長いセクションを少なくとも備え、限定はされないが、通常は、当該技術分野で公知の地金又は被覆金属、木材、ゴム、プラスチック、それらの組み合わせ、又は任意の他の適当な材料等、取り付け具に適した任意の材料で作られる。好ましい実施形態では、ゲート部材３８は、一端部が上記本体部材３２の一端部３４又は３６に枢着される細長い部材から成る。ゲート部材３８の他端部は、当該ゲート部材３８が閉位置にある場合に、本体部材３２の他端部３４又は３６と接触又は近接する。好ましい実施形態では、ゲート部材３８は内向きに開放可能である。ゲート部材３８は、本体部材３２に関して上述したような任意の適当な材料で作られるが、本体部材３２と必ずしも同じ材料である必要はない。ゲート部材３８は、本体部材３２とは別個に成形して、ピン又は当該技術分野で公知の他の手段によって本体部材３２に取り付けることができる。好ましい実施形態では、本体部材３２は曲線状である。最も好ましい実施形態では、取り付け具３０は、カラビナの形状に形成されるが、図６〜図９に見られるように、本発明では他の形状も意図される。
【００１９】
次に、図１Ａに示されるように、好ましい実施形態では、筆記具はキャップ１２をさらに備える。取り付け具３０は上記キャップ１２と一体に形成される。次に図１Ｂを参照すると、取り付け具３０は上記筆記具１０と一体に形成される。このような一体的な実施形態は、例えば取り付け具をプラスチックで作る成形等、取り付け具の構成に用いられる材料に適した任意の公知の手段によって達成することができる。
【００２０】
次に、図１Ｂに示されるように、一実施形態では、本体部材３２は、上記筆記具１０と一体であり、少なくとも第１の細長いセクション３３及び第２の細長いセクション３５を備える。ゲート部材３８は、第２の細長い部材３５から一体的に延びる細長い部材である。好ましくは、一体的な本体３２及びゲート部材３８は、限定はされないが、公知のゴム、プラスチック等の弾性材料、又は他の適当な弾性材料で作られる。ゲート部材３８の第１の端部は、このゲート部材３８が閉位置にある場合に細長いセクション３３の一端部と接触又は近接する。この実施形態では、弾性の取り付け具は、ピボットヒンジなしで形成される。ゲート部材３８は、圧力が加わると簡単に変形し、圧力が解除されると元の位置に弾性復帰する。最も好ましい実施形態では、取り付け具３０は、カラビナの形状に形成されるが、本発明では他の形状も意図される。
【００２１】
次に、図１Ｃに示されるように、最も好ましい実施形態では、取り付け具３０は、上記筆記具１０又はキャップ１２（図示せず）から延びる１つの細長いセクション３３を備える。ゲート部材３８は、上記筆記具１０又はキャップ１２に枢着される。
【００２２】
次に、図２〜図３Ｂに示されるように、代替的な好ましい実施形態では、筆記装置２は、垂直スロット１３が形成された外側スリーブ１１と内側スリーブ１４とを有する筆記具１０を備えている。次に、図３Ａに示されるように、内側スリーブ１４は、外側スリーブ１１内に係合することを可能にする外周形状を有する。内側スリーブ１４は、延出された取り付け具３０をさらに備えている。内側スリーブ１４は、限定はされないが、公知の地金又は被覆金属、木材、ゴム、プラスチック、それらの組み合わせ、又は任意の他の適当な材料等、筆記具での使用に適した任意の材料で作られる。さらに、図３Ａに示されるように、スリーブ１１及び１４の断面はほぼ円形であることが好ましい。図３Ａ及び図３Ｂに示されるように、スロット１３は、内側スリーブ１４が外側スリーブ１１内に挿入されたときに取り付け具３０を受容する。内側スリーブ１４は、限定はされないが、接着剤又は摩擦による係合等、当業者に任意の公知の手段によって外側スリーブ１１内に固定される。代替的に、内側スリーブ１４の挿入後に、筆記具１０の端部に被せるキャップを用いてもよい。最も好ましい実施形態では、外側スリーブ１１は内部リップ１６をさらに備え、内側スリーブ１４はその下縁付近に配置される外部タブ１８をさらに備え、これにより内側スリーブ１４が外側スリーブ１１内に確実に係合される。この実施形態では、内側スリーブは、タブ１８がリップ１６の下に係合することを可能にするように、弾性材料で形成されることが好ましい。
【００２３】
次に、図４及び図４Ａに示されるように、代替的な実施形態では、取り付け具３０を筆記具１０又はキャップ１２に取り付ける手段はバンド２０であり、バンド２０から取り付け具３０が延びている。バンド２０は、限定はされないが、公知の地金又は被覆金属、木材、ゴム、プラスチック、それらの組み合わせ、又は任意の他の適当な材料等、筆記具１０と共に用いるのに適した任意の材料から形成される。好ましい実施形態では、バンド２０は、取り付け具３０と一体成形される。最も好ましい実施形態では、バンド２０は、筆記具１０の外周とほぼ同様の形状の断面を有している。次に、図４に示されるように、筆記具１０又はキャップ１２はクリップ１５をさらに備えることができる。
【００２４】
次に、図５〜図５Ｃに示されるように、代替的な実施形態では、取り付け具３０を筆記具１０に取り付ける手段は、クリップ２２であり、クリップ２２に取り付け具３０が取り付けられる。クリップ２２は、限定はされないが、公知の地金又は被覆金属、木材、ゴム、プラスチック、それらの組み合わせ、又は任意の他の適当な材料等、筆記具と共に用いるのに適した任意の材料から形成される。クリップ２２は、限定はされないが、挟持、接着剤、成形等を含む公知の手段により、筆記具１０又はキャップ１２に取り付けられる。好ましい実施形態では、クリップ２２は、取り付け具３０が所定位置にスナップ嵌めされることを可能にする弾性材料から形成される。他の実施形態では、取り付け具３０はクリップ２２に摺動可能に係合することができる。次に、図５Ｃに示されるように、最も好ましい実施形態では、取り付け具３０はクリップ２２に取り外し可能に取り付けられる。
【００２５】
次に、図６〜図９に示されるように、取り付け具３０は任意の形状を有することができる。
【００２６】
好ましい実施形態を説明及び図示してきたが、本発明の精神及び原理から逸脱せずに、細部の変更及び開示されていない自明の変形を行ってもよく、したがって本発明の範囲を好ましい実施形態に限定されるものと解釈すべきではないことが理解されるであろう。
【図面の簡単な説明】
【００２７】
【図１】本発明の好ましい実施形態の斜視図である。
【図１Ａ】本発明の好ましい実施形態の斜視図である。
【図１Ｂ】本発明の好ましい実施形態の斜視図である。
【図１Ｃ】本発明の最も好ましい実施形態の斜視図である。
【図２】本発明の好ましい実施形態の側面図である。
【図３】図２に示す本発明の実施形態の前面図である。
【図３Ａ】図３に示す本発明の実施形態のＡ−Ａ’線断面図である。
【図３Ｂ】図２及び図３に示す本発明の実施形態の分解斜視図である。
【図４】本発明の好ましい実施形態の正面図である。
【図４Ａ】図４のバンド要素の好ましい実施形態の平面図である。
【図５】本発明のさらなる実施形態の正面図である。
【図５Ａ】図５に示す本発明の実施形態の背面図である。
【図５Ｂ】図５Ａの実施形態の平面図である。
【図５Ｃ】カラビナ型取り付け具を筆記具から離脱させた状態の図５Ａによる本発明の実施形態の平面図である。
【図６】本発明の好ましい実施形態の斜視図である。
【図７】本発明の好ましい実施形態の斜視図である。
【図８】本発明の好ましい実施形態の斜視図である。
【図９】本発明の好ましい実施形態の斜視図である。
【図１】
2007511386.tif 000003
【図１Ａ】
2007511386.tif 000004
【図１Ｂ】
2007511386.tif 000005
【図１Ｃ】
2007511386.tif 000006
【図２】
2007511386.tif 000007
【図３】
2007511386.tif 000008
【図３Ａ】
2007511386.tif 000009
【図３Ｂ】
2007511386.tif 000010
【図４】
2007511386.tif 000011
【図４Ａ】
2007511386.tif 000012
【図５】
2007511386.tif 000013
【図５Ａ】
2007511386.tif 000014
【図５Ｂ】
2007511386.tif 000015
【図５Ｃ】
2007511386.tif 000016
【図６】
2007511386.tif 000017
【図７】
2007511386.tif 000018
【図８】
2007511386.tif 000019
【図９】
2007511386.tif 000020
【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
少なくとも２つの細長部材を備える筆記具であって、前記細長部材の少なくとも一方は、該筆記具の側部の一部から延び、前記細長部材はそれぞれ前記筆記具に取り付けられた第１の端部を有すると共に互いに近接する第２の端部を有し、前記細長部材の少なくとも一方からゲート部材が延出することを特徴とする筆記具。
【請求項２】
前記ゲート部材は、前記細長部材の少なくとも一方に枢着される請求項１に記載の筆記具。
【請求項３】
前記細長部材の少なくとも一方は、前記筆記具に一体的に取り付けられる請求項１に記載の筆記具。
【請求項４】
前記細長部材の少なくとも一方は弾性材料から形成される請求項１に記載の筆記具。
【請求項５】
前記細長部材は、カラビナの外観を有するように形成される請求項１に記載の筆記具。
【請求項６】
前記筆記具の前記側部は、円筒状の本体部材の側部である請求項１に記載の筆記具。
【請求項７】
ほぼ管状の本体部材と、
第１の細長部材、第２の細長部材、及び選択的に開放可能なゲート部材を有する少なくとも１つの取り付け具と
を備え、前記第１の細長部材は、前記本体部材の側部の一部から前記第２の細長部材にほぼ向かって延びて前記選択的に開放可能なゲート部材の一部の近くで終端し、前記第２の細長部材は、前記本体部材の別の部分から前記第１の細長部材にほぼ向かう方向に延び、前記ゲート部材は、前記第１及び第２の細長部材間に選択的に開放可能に延びることを特徴とする筆記具。
【請求項８】
前記本体部材は、筆記端部と、前記本体部材に関して前記筆記端部の反対側に位置する他端部とをさらに備え、前記少なくとも１つの取り付け具は前記他端部に近接して位置する請求項７に記載の筆記具。
【請求項９】
前記本体部材の前記他端部の上に被さるキャップをさらに備える請求項８に記載の筆記具。
【請求項１０】
前記第１及び第２の細長部材の少なくとも一方は、前記筆記具に一体的に取り付けられる請求項７に記載の筆記具。
【請求項１１】
前記本体部材は円筒状である請求項７に記載の筆記具。
【請求項１２】
側部部分を構成する本体により接続される筆記端部及び反対端部を有する本体部材と、
少なくとも２つの細長部材を有する少なくとも１つの取り付け具と
前記少なくとも２つの細長部材の間で選択的に開放可能なゲート部材と
を備え、前記細長部材はそれぞれ第１の端部と第２の端部とを有し、前記少なくとも２つの細長部材のうち一つの細長部材の前記第１の端部は前記本体部材の前記側部部分から延び、前記少なくとも２つの細長部材のうち他の一つの細長部材の前記第１の端部は前記反対端部から延び、前記少なくとも２つの細長部材の前記第２の端部はほぼ互いに向かって延びることを特徴とする筆記具。
【請求項１３】
前記少なくとも２つの細長部材のうち一つの細長部材は、前記本体部材の前記側部部分に一体的に取り付けられる請求項１２に記載の筆記具。
【請求項１４】
前記少なくとも２つの細長部材のうち他の一つの細長部材は、前記本体部材の前記反対端部に一体的に取り付けられる請求項１２に記載の筆記具。
【請求項１５】
筆記端部及び反対端部を有する本体部材と、
少なくとも１つの細長部材を有する少なくとも１つの取り付け具と
を備え、前記細長部材はそれぞれ第１の端部及び第２の端部を有し、前記細長部材の前記第１の端部は前記本体部材から延び、前記取り付け具はゲート部材をさらに有し、前記ゲート部材は第１の端部及び第２の端部を有し、前記ゲート部材の前記第１の端部は前記本体部材から延び、前記細長部材の前記第２の端部と前記ゲート部材の第２の端部は、ほぼ互いに向かって延びることにより前記細長部材と前記ゲート部材との間に開放可能な接合部を形成することを特徴とする筆記具。
【請求項１６】
前記少なくとも１つの細長部材は、前記本体部材の側部部分に一体的に取り付けられる請求項１５に記載の筆記具。
【請求項１７】
前記本体部材はほぼ円筒状である請求項１５に記載の筆記具。
【手続補正２】
【補正対象書類名】図面
【補正対象項目名】全図
【補正方法】変更
【補正の内容】
【図１】
2007511386.tif 000021
【図１Ａ】
2007511386.tif 000022
【図１Ｂ】
2007511386.tif 000023
【図１Ｃ】
2007511386.tif 000024
【図２】
2007511386.tif 000025
【図３】
2007511386.tif 000026
【図３Ａ】
2007511386.tif 000027
【図３Ｂ】
2007511386.tif 000028
【図４】
2007511386.tif 000029
【図４Ａ】
2007511386.tif 000030
【図５】
2007511386.tif 000031
【図５Ａ】
2007511386.tif 000032
【図５Ｂ】
2007511386.tif 000033
【図５Ｃ】
2007511386.tif 000034
【図６】
2007511386.tif 000035
【図７】
2007511386.tif 000036
【図８】
2007511386.tif 000037
【図９】
2007511386.tif 000038
【国際調査報告】
2007511386.tif 000039